(57)【要約】【課題】複数のリレーと、複数の照明器具との対応付けを簡易に行うことができる照明制御システム、照明制御システムの照明制御方法及びプログラムを提供する。【解決手段】照明制御システム１０（コントローラ１）は、通信機能を有する複数の照明器具と、前記複数の照明器具への電力の供給を制御する複数のリレーと、通信を行う。照明制御システム１０は、動作制御部１７と、紐付処理部１８とを備える。動作制御部１７は、複数のリレーの動作状態を制御する。紐付処理部１８は、複数のリレーの動作状態の変化に応じた複数の照明器具との通信状態の変化に基づいて、複数のリレーの各々について、当該リレーに、複数の照明器具のうち当該リレーと接続された照明器具を対応付ける。【選択図】図１
2018006220.tif 000002
【特許請求の範囲】
【請求項１】
通信機能を有する複数の照明器具と、前記複数の照明器具への電力の供給を制御する複数のリレーと、通信を行う照明制御システムであって、
前記複数のリレーの動作状態を制御する動作制御部と、
前記複数のリレーの動作状態の変化に応じた前記複数の照明器具との通信状態の変化に基づいて、前記複数のリレーの各々について、当該リレーに、前記複数の照明器具のうち当該リレーと接続された照明器具を対応付ける紐付処理部とを備える
ことを特徴とする照明制御システム。
【請求項２】
前記動作制御部は、前記複数のリレーの動作状態をオン状態とした後、前記複数のリレーの動作状態を順次オフ状態に変化させ、
前記紐付処理部は、前記動作制御部が前記複数のリレーのうち１つのリレーの動作状態をオン状態からオフ状態に変化させた場合、前記１つのリレーに、前記１つのリレーの動作状態をオン状態からオフ状態に変化したことにより前記複数の照明器具のうち通信が成立しなくなった照明器具を対応付ける
ことを特徴とする請求項１に記載の照明制御システム。
【請求項３】
前記動作制御部は、前記複数のリレーの動作状態をオフ状態とした後、前記複数のリレーの動作状態を順次オン状態に変化させ、
前記紐付処理部は、前記動作制御部が前記複数のリレーのうち１つのリレーの動作状態をオフ状態からオン状態に変化させた場合、前記１つのリレーに、前記１つのリレーの動作状態をオフ状態からオン状態に変化したことにより前記複数の照明器具のうち通信が成立した照明器具を対応付ける
ことを特徴とする請求項１に記載の照明制御システム。
【請求項４】
前記動作制御部は、さらに、紐付処理部による対応付けに先立って、前記複数の照明器具のうち通信が成立しないすべての照明器具の通信状態を確認する
ことを特徴とする請求項１〜３のいずれか一項に記載の照明制御システム。
【請求項５】
前記複数のリレーには、リレー用アドレスが割り当てられており、
前記複数のリレーのうち１つ以上のリレーに割り当てられたリレー用アドレスを含む対象範囲を選択するリレー選択部を、さらに備え、
前記動作制御部は、前記リレー用アドレスが前記リレー選択部で選択された前記対象範囲に含まれる前記１つ以上のリレーの動作状態を順次変化させる
ことを特徴とする請求項１〜４のいずれか一項に記載の照明制御システム。
【請求項６】
前記複数の照明器具には、照明用アドレスが割り当てられており、
前記複数の照明器具のうち１つ以上の照明器具に割り当てられた照明用アドレスを含む範囲を選択する照明器具選択部を、更に備え、
前記紐付処理部は、前記照明用アドレスが前記照明器具選択部で選択された範囲に含まれる前記１つ以上の照明器具を、複数のリレーのうち接続されたリレーに対応付ける
ことを特徴とする請求項１〜５のいずれか一項に記載の照明制御システム。
【請求項７】
前記複数のリレーの動作状態の変化に関わらず、前記通信状態が変化しない１つ以上の照明器具を前記複数の照明器具から抽出する抽出部を、更に備え、
前記紐付処理部は、前記抽出部で抽出された前記１つ以上の照明器具を、前記複数のリレーについての対応付けから除外する
ことを特徴とする請求項１〜６のいずれか一項に記載の照明制御システム。
【請求項８】
前記紐付処理部は、前記複数のリレーのうち１つのリレーについて対応付けを行った後の対応付けの処理においては前記１つのリレーに対応付けられた照明器具を除外する
ことを特徴とする請求項１〜７のいずれか一項に記載の照明制御システム。
【請求項９】
通信機能を有する複数の照明器具と、前記複数の照明器具への電力の供給を制御する複数のリレーと、通信を行う照明制御システムの照明制御方法であって、
前記複数のリレーの動作状態を制御する動作制御ステップと、
前記複数のリレーの動作状態の変化に応じた前記複数の照明器具との通信状態の変化に基づいて、前記複数のリレーの各々について、当該リレーに、前記複数の照明器具のうち当該リレーと接続された照明器具を対応付ける紐付処理ステップとを含む
ことを特徴とする照明制御システムの照明制御方法。
【請求項１０】
通信機能を有する複数の照明器具と、前記複数の照明器具への電力の供給を制御する複数のリレーと、通信を行う照明制御システムに用いられるコンピュータを、
前記複数のリレーの動作状態を制御する動作制御部、
前記複数のリレーの動作状態の変化に応じた前記複数の照明器具との通信状態の変化に基づいて、前記複数のリレーの各々について、当該リレーに、前記複数の照明器具のうち当該リレーと接続された照明器具を対応付ける紐付処理部として機能させる
ことを特徴とするプログラム。
【発明の詳細な説明】
【技術分野】
【０００１】
本発明は、照明制御システム、照明制御システムの照明制御方法及びプログラムに関し、より詳細には、照明器具の制御を行う照明制御システム、照明制御システムの照明制御方法及びプログラムに関する。
【背景技術】
【０００２】
従来、照明器具の調光の制御、及び照明器具への電力の供給の制御を行う照明制御システムがある（例えば、特許文献１）。
【０００３】
特許文献１では、１つ以上の照明器具にリレーが対応付けられている。中央制御装置は、リレーを制御することで、リレーに接続された１つ以上の照明器具への電力の供給を制御している。中央制御装置は、リレーに接続された１つ以上の照明器具と通信を行うことで、１つ以上の照明器具の調光を制御している。
【先行技術文献】
【特許文献】
【０００４】
【特許文献１】特開２０１２−１６０４０２号公報
【発明の概要】
【発明が解決しようとする課題】
【０００５】
上述した特許文献１では、リレーと１つ以上の照明器具との対応付けは、人が手動で行う必要がある。リレーの台数と、各リレーに接続される照明器具との総数が増えると、複数のリレーと、複数の照明器具との対応付けは、手間がかかる。
【０００６】
本発明は上記事由に鑑みてなされており、複数のリレーと、複数の照明器具との対応付けを簡易に行うことができる照明制御システム、照明制御システムの照明制御方法及びプログラムを提供することを目的とする。
【課題を解決するための手段】
【０００７】
本発明に係る一態様の照明制御システムは、通信機能を有する複数の照明器具と、前記複数の照明器具への電力の供給を制御する複数のリレーと、通信を行う照明制御システムである。前記照明制御システムは、動作制御部と、紐付処理部とを備える。前記動作制御部は、前記複数のリレーの動作状態を制御する。前記紐付処理部は、前記複数のリレーの動作状態の変化に応じた前記複数の照明器具との通信状態の変化に基づいて、前記複数のリレーの各々について、当該リレーに、前記複数の照明器具のうち当該リレーと接続された照明器具を対応付ける。
【０００８】
本発明に係る一態様の照明制御システムの照明制御方法は、動作制御ステップと、紐付処理ステップとを含む。前記照明制御システムは、通信機能を有する複数の照明器具と、前記複数の照明器具への電力の供給を制御する複数のリレーと、通信を行う。前記動作制御ステップは、前記複数のリレーの動作状態を制御する。前記紐付処理ステップは、前記複数のリレーの動作状態の変化に応じた前記複数の照明器具との通信状態の変化に基づいて、前記複数のリレーの各々について、当該リレーに、前記複数の照明器具のうち当該リレーと接続された照明器具を対応付ける。
【０００９】
本発明に係る一態様のプログラムは、照明制御システムに用いられるコンピュータを、動作制御部、紐付処理部として機能させるプログラムである。前記照明制御システムは、通信機能を有する複数の照明器具と、前記複数の照明器具への電力の供給を制御する複数のリレーと、通信を行う。前記動作制御部は、前記複数のリレーの動作状態を制御する。前記紐付処理部は、前記複数のリレーの動作状態の変化に応じた前記複数の照明器具との通信状態の変化に基づいて、前記複数のリレーの各々について、当該リレーに、前記複数の照明器具のうち当該リレーと接続された照明器具を対応付ける。
【発明の効果】
【００１０】
この発明によると、複数のリレーと、複数の照明器具との対応付けを簡易に行うことができる。
【図面の簡単な説明】
【００１１】
【図１】図１は、本発明の実施形態１に係る照明制御システム（コントローラ）の構成を示すブロック図である。
【図２】図２は、同上の照明制御システムを含む全体構成を示すシステム構成図である。
【図３】図３は、本発明の実施形態１に係る照明器具の構成を示すブロック図である。
【図４】図４は、本発明の実施形態１に係る照明制御システム（コントローラ）の動作を説明する流れ図である。
【図５】図５は、同上の照明制御システムを含む全体のシステムの動作を説明するシーケンス図である。
【図６】図６は、本発明の実施形態２に係る照明制御システム（コントローラ）の動作を説明する流れ図である。
【図７】図７は、同上の照明制御システムを含む全体のシステムの動作を説明するシーケンス図である。
【発明を実施するための形態】
【００１２】
以下に説明する実施形態及び変形例は、本発明の一例に過ぎず、本発明は、実施形態及び変形例に限定されることなく、この実施形態及び変形例以外であっても、本発明に係る技術的思想を逸脱しない範囲であれば、設計などに応じて種々の変更が可能である。
【００１３】
（実施形態１）
（１）全体概要
本実施形態では、複数の照明器具と、複数の照明器具への電力の供給を制御する複数のリレーとを関連付ける（紐付ける）機能を有する照明制御システムについて、図１〜５を用いて説明する。本実施形態では、照明制御システム１０は、図１、図２に示すようにコントローラ１にて構成されている。
【００１４】
本実施形態では、図２に示すように、複数のリレー２の各々に、１つ以上の照明器具３が接続されている。なお、複数のリレー２を個別に記載する必要がある場合には、符号“２＿１”，“２＿２”，・・・， “２＿ｎ”を用いる。また、複数の照明器具３を個別に記載する必要がある場合には、符号“３＿１” ，“３＿２” ，・・・， “３＿ｍ”を用いる。本実施形態では、複数のリレー２の各々に接続される１つ以上の照明器具３を一群の照明器具３という場合がある。
【００１５】
コントローラ１は、２線式の通信線４により複数のリレー２と接続されている。コントローラ１は、複数のリレー２に対して、一括または個別に動作状態を通信線４を介して制御する。ここで、動作状態には、オン状態とオフ状態とがあり、コントローラ１は、リレー２をオン状態からオフ状態への切り替える処理、及びオフ状態からオン状態への切り替える処理を行う。
【００１６】
複数のリレー２は、電力を供給する電源部７と接続されており、リレー２がオン状態である場合には、電源部７からの電力を、接続された照明器具３に供給する。リレー２がオフ状態である場合には、電源部７からの電力を、接続された照明器具３に供給しない。ここで、電源部７は、例えば商用電源である。
【００１７】
コントローラ１は、照明制御用の通信線５により複数の中継器２０，２１と接続されている。複数の中継器２０，２１の各々は、互いに異なる一群の照明器具３と、無線または有線による通信を行う。コントローラ１は、通信線５及び複数の中継器２０，２１を介して、複数の照明器具３の調光及び調色の少なくとも一方の制御を、一括、一群の照明器具３ごとまたは複数の照明器具３ごとに行う。本実施形態では、中継器２０が無線で通信する機器であり、中継器２１が有線で通信する機器である。
【００１８】
また、コントローラ１は、スマートフォン等の情報端末装置である設定器６と、無線通信を行う。
【００１９】
本実施形態では、複数のリレー２及び複数の照明器具３には、互いに異なるアドレスが割り当てられている。
【００２０】
（２）構成
ここでは、本実施形態に係る照明制御システム１０（コントローラ１）及び照明器具３の構成について説明する。
【００２１】
（２．１）照明制御システム（コントローラ）
先ず、本実施形態の照明制御システム１０の構成について説明する。
【００２２】
照明制御システム１０は、上述したように本実施形態ではコントローラ１にて構成されている。コントローラ１は、通信線４を介して複数のリレー２と通信可能である。コントローラ１は、通信線５を介して複数の照明器具３と通信可能である。
【００２３】
コントローラ１は、図１に示すように、記憶部１１と、処理部１２と、第１通信部１３と、第２通信部１４とを備える。コントローラ１は、ＣＰＵ（Central Processing Unit）及びメモリを有している。ＣＰＵがメモリに格納されているプログラムを実行することにより、処理部１２の機能を実現する。プログラムは、インターネットなどの電気通信回線を通じて、あるいはメモリカードなどの記録媒体に記録されて提供されてもよいし、コンピュータのメモリに予め記録されていてもよい。
【００２４】
記憶部１１は、ＲＯＭ（Read Only Memory）、ＲＡＭ（Random Access Memory）、またはＥＥＰＲＯＭ（Electrically Erasable Programmable Read Only Memory）などから選択されるデバイスで構成される。記憶部１１は、処理部１２の処理動作により複数のリレー２と複数の照明器具３とが対応付けられた（紐付けられた）結果を記憶する。
【００２５】
処理部１２は、複数のリレー２と複数の照明器具３との対応付けを行う。処理部１２は、図１に示すように、選択部１５、抽出部１６、動作制御部１７及び紐付処理部１８を有している。
【００２６】
選択部１５は、リレー２に割り当て可能なアドレスの範囲から、関連付け対象となる複数のリレー２に割り当てられたアドレス（リレー用アドレス）の範囲を選択する。
【００２７】
抽出部１６は、複数のリレー２のいずれによっても電力の供給が制御されない、つまり複数のリレー２のいずれとも接続されていない照明器具を抽出する。
【００２８】
動作制御部１７は、複数のリレー２に対してオン状態とオフ状態とを制御する。さらに、動作制御部１７は、複数の照明器具３との間における通信の状態の確認を行う。
【００２９】
紐付処理部１８は、動作制御部１７の制御により、複数のリレー２と複数の照明器具３との対応付けを行う。具体的には、複数のリレー２のリレー用アドレスに、当該リレー用アドレスが割り当てられたリレー２に接続された照明器具３のアドレス（照明用アドレス）を対応付ける。
【００３０】
第１通信部１３は、通信線４に接続されることで、コントローラ１と複数のリレー２との間の通信を可能にする。
【００３１】
第２通信部１４は、通信線５に接続されることで、中継器２０，２１を介してコントローラ１と複数の照明器具３との間の通信を可能にする。
【００３２】
（２．２）照明器具
次に、照明器具３の構成について説明する。
【００３３】
照明器具３は、図３に示すように、電源回路３１と、光源３２と、通信部３３とを備える。
【００３４】
電源回路３１は、電源部７からの電力を変換して光源３２及び通信部３３に供給する。具体的には、電源回路３１は、図３に示すように、リレー２と接続されている場合には、リレー２がオン状態であるときには電源部７からの電力を光源３２及び通信部３３に供給し、オフ状態であるときには電源部７からの電力を光源３２及び通信部３３に供給しない。なお、図２に示す照明器具３＿６のように、電源部７と直接接続されている場合には、電源回路３１は、電源部７から直接電力を受け取る。
【００３５】
光源３２は、例えばＬＥＤ（Light Emitting Diode）であり、電源回路３１からの電力により発光する。電源回路３１が電力を制御することで、光源３２の調光及び調色が行われる。
【００３６】
通信部３３は、無線による通信、または有線による通信を行う機能を有している。具体的には、通信部３３は、無線による通信を行う機能を有している場合には、中継器２０と無線で通信を行う。通信部３３は、有線による通信を行う機能を有している場合には、中継器２１と有線で通信を行う。
【００３７】
（３）処理
ここでは、照明制御システム１０（コントローラ１）の動作について説明する。
【００３８】
リレー２に割り当て可能なアドレスの範囲が予め設定されている。本実施形態では、リレー２＿１〜２＿ｎのリレー用アドレスは、予め設定されているアドレスの範囲内で最小のアドレスから順次割り当てられ、アドレスの範囲のうち一部は使用されていない。また、コントローラ１の記憶部１１には、複数のリレー２（リレー２＿１〜２＿ｎ）に割り当てられたリレー用アドレス、及び複数の照明器具３（照明器具３＿１〜３＿ｍ）に割り当てられた照明用アドレスを予め記憶している。
【００３９】
コントローラ１は、記憶部１１に記憶されている複数のリレー用アドレスに、複数の照明用アドレスを対応付けることで、複数のリレー２に複数の照明器具を対応付ける処理を行う。ここでは、この処理について説明する。以下におけるｉ番目のリレー２とは、リレー２＿ｉである。なお、ｉは１以上ｎ以下の整数である。
【００４０】
対応付けの対象となるリレー２のリレー用アドレスの範囲（対象範囲）を設定器６の操作者が設定器６に対して入力すると、設定器６は、入力されたリレー用アドレスの範囲をコントローラ１に無線で送信する。
【００４１】
以下、照明制御システム１０（コントローラ１）が行う複数のリレー２と複数の照明器具３との関連付け（紐付け）に係る処理について、図４に示す流れ図を用いて説明する。
【００４２】
動作制御部１７は、すべてのリレー２（ここでは、リレー２＿１〜２＿ｎ）の動作状態を、オン状態にする（ステップＳ１）。つまり、動作制御部１７は、第１通信部１３及び通信線４を介して、すべてのリレー２の動作状態をオン状態にする信号を送信する。リレー２がオン状態になると、リレー２に接続されたすべての照明器具３に電力が供給されて通信可能な状態になる。
【００４３】
動作制御部１７は、複数の照明器具３との通信を確認する（ステップＳ２）。具体的には、動作制御部１７は、記憶部１１で記憶している照明用アドレスが割り当てられた照明器具３すべてが第２通信部１４を介して通信可能であることを確認する。例えば、動作制御部１７は、照明器具３から照明用アドレスを含む信号を、第２通信部１４を介して照明器具３から受け取り、記憶部１１で記憶している照明用アドレスと照合する。
【００４４】
動作制御部１７は、すべてのリレー２の動作状態を、オフ状態にする（ステップＳ３）。つまり、動作制御部１７は、第１通信部１３及び通信線４を介して、すべてのリレー２の動作状態をオフ状態にする信号を送信する。リレー２がオフ状態になると、リレー２に接続されたすべての照明器具３に電力が供給されなくなり通信ができない状態になる。
【００４５】
抽出部１６は、複数の照明器具３との通信状態を確認する（ステップＳ４）。具体的には、抽出部１６は、通信可能な照明器具３から照明用アドレスを含む信号を第２通信部１４を介して受け取る。抽出部１６は、受け取った照明用アドレスを、一時的に記憶する。つまり、動作制御部１７は、複数の照明器具３から、複数のリレー２のいずれにも接続されていない照明器具３を抽出する。例えば、図２に示す構成において、抽出部１６は、照明器具３＿６から照明用アドレスを含む信号を第２通信部１４を介して受け取ると、照明器具３＿６をいずれのリレー２にも接続されていない照明器具として抽出する。
【００４６】
コントローラ１の選択部１５は、設定器６から送信された対象範囲を、予め設定されているアドレスの範囲から選択する（ステップＳ５）。
【００４７】
動作制御部１７は、対象範囲内のすべてのリレー２（ここでは、リレー２＿１〜２＿ｎ）の動作状態を、オン状態にする（ステップＳ６）。つまり、動作制御部１７は、第１通信部１３及び通信線４を介して、対象範囲内に属するすべてのリレー２の動作状態をオン状態にする信号を送信する。
【００４８】
動作制御部１７は、複数の照明器具３との通信を確認する（ステップＳ７）。具体的には、動作制御部１７は、対象範囲に属するリレー２のいずれかに接続されたすべての照明器具３、及び複数のリレー２のいずれにも接続されていない照明器具３（３＿６）から、照明用アドレスを含む信号を第２通信部１４を介して受け取る。動作制御部１７は、受け取ったすべて照明用アドレスを、記憶部１１の予め定められた領域（アドレス記憶領域）に一時的に記憶する。
【００４９】
動作制御部１７は、変数ｉに値１を設定する（ステップＳ８）。動作制御部１７は、ｉ番目のリレー２（リレー２＿ｉ）の動作状態をオフ状態にし、通信できない１つ以上の照明器具３を特定する（ステップＳ９）。なお、対象範囲内の他のリレー２の動作状態はオン状態である。つまり、動作制御部１７は、第１通信部１３及び通信線４を介して、ｉ番目のリレー２の動作状態をオフ状態にし、他のリレー２の動作状態をオン状態にする信号を送信する。動作制御部１７は、複数の照明器具３に対して順次、返信を要求する要求信号を送信する。動作制御部１７は、要求信号に対する応答信号の受信の有無を判断する。応答信号を受信した場合には、動作制御部１７は、要求信号の送信先である照明器具３とは通信可能と判断する。応答信号を受信しない場合には、動作制御部１７は、要求信号の送信先である照明器具３とは通信不可と判断する。これにより、動作制御部１７は、ｉ番目のリレー２（リレー２＿ｉ）の動作状態をオフ状態にしたことにより、通信できなくなった１つ以上の照明器具３を特定することができる。
【００５０】
動作制御部１７は、第２通信部１４を介して通信できない１つ以上の照明器具３に対して、通信状態の確認処理を行う（ステップＳ１０）。具体的には、動作制御部１７は、第２通信部１４を介して通信できない１つ以上の照明器具３に、信号を送信する指示を表す指示信号を、第２通信部１４を介して送信する。動作制御部１７は、指示信号に対する返信として応答信号を、第２通信部１４を介して受け取ったか否かによって、通信状態の確認処理を行う。これにより、ｉ番目のリレー２の動作状態をオフ状態したことで通信できないのか、一時的な通信エラーであるかの切り分けを行うことができる。
【００５１】
紐付処理部１８は、アドレス記憶領域で記憶されている照明用アドレスから、ステップＳ４で受け取った照明用アドレスを除外し、残りの照明用アドレスを用いて、紐付処理を行う（ステップＳ１１）。紐付処理部１８は、残りの照明用アドレスのうちステップＳ９及びＳ１０の双方において通信ができない照明器具３の照明用アドレスを、ｉ番目のリレー２のリレー用アドレスに対応付ける。これにより、ｉ番目のリレー２＿ｉに、リレー２＿ｉに接続された照明器具３を対応付けることができる。
【００５２】
さらに、紐付処理部１８は、ステップＳ１０では、ｉ番目のリレー２のリレー用アドレスに対応付けられた照明用アドレスを、ｉ番目以降のリレー２に対する対応付けで対応付けの対象として除外するために、アドレス記憶領域から削除する。これにより、照明用アドレスの総数が少なくなるので、ｉ＋１番目以降のリレー２についてステップＳ９の確認処理にかかる処理時間を短くすることができる。
【００５３】
動作制御部１７は、変数ｉに値１を加算する（ステップＳ１２）。動作制御部１７は、変数ｉが、紐付対象のリレー２の数ｎを超えたか否かを判断する（ステップＳ１３）。変数ｉが数ｎを超えたと動作制御部１７が判断する場合（ステップＳ１３における「Ｙｅｓ」）、処理を終了する。変数ｉが数ｎを超えていないと動作制御部１７が判断する場合（ステップＳ１３における「Ｎｏ」）、処理は、ステップＳ９に戻る。
【００５４】
（４）動作例
照明制御システム１０（コントローラ１）、リレー２及び照明器具３を含むシステムでは、コントローラ１は、通信線４を介してリレー２の動作状態を制御している。さらに、コントローラ１は、通信線５を介して照明器具３の調光及び調色を制御している。当該システムでは、複数のリレー２のうち１つのリレー２に接続されたすべての照明器具３の調光が０％である場合、当該１つのリレー２の動作状態をオフ状態にする。この動作を行うためには、当該システムにおいて、複数のリレー２と複数の照明器具との対応関係が設定されている必要がある。
【００５５】
そこで、ここでは、照明制御システム１０（コントローラ１）、リレー２、照明器具３及び中継器２０，２１を含むシステムにおいて、複数のリレー２の各々に、１つ以上の照明器具３を対応付ける動作を、図５を用いて説明する。
【００５６】
設定器６の使用者により設定器６に対して入力操作が行われることで、設定器６は、関連付けの処理及び関連付けの処理で対象となるリレー用アドレスの範囲をコントローラ１に無線で送信する（ステップＳ２０）。
【００５７】
コントローラ１の動作制御部１７は、すべてのリレー２（リレー２＿１〜２＿ｎ）の動作状態を、オン状態にする（ステップＳ２１）。
【００５８】
動作制御部１７は、複数の照明器具３との通信が可能であることを確認する。具体的には、複数の照明器具３は、照明用アドレスを含む信号を中継器２０，２１を介してコントローラ１に送信する（ステップＳ２２，Ｓ２３）。動作制御部１７は、記憶部１１で記憶している照明用アドレスが割り当てられた照明器具３すべてが第２通信部１４を介して通信可能であることを確認する。
【００５９】
動作制御部１７は、すべてのリレー２の動作状態を、オフ状態にする（ステップＳ２４）。
【００６０】
抽出部１６は、複数の照明器具３のうち通信可能な照明器具３を抽出する。具体的には、コントローラ１と通信可能な照明器具３、つまり、複数のリレー２のいずれにも接続されていない照明器具３は、照明用アドレスを含む信号を中継器２０，２１を介してコントローラ１に送信する（ステップＳ２５，Ｓ２６）。抽出部１６は、複数のリレー２のいずれにも接続されていない照明器具３から送信された照明用アドレスを受け取り、一時的に記憶する。コントローラ１の選択部１５は、設定器６から送信された対象範囲を、予め設定されているアドレスの範囲から選択する（ステップＳ２７）。
【００６１】
動作制御部１７は、対象範囲内のすべてのリレー２（リレー２＿１〜２＿ｎ）の動作状態を、オン状態にする（ステップＳ２８）。
【００６２】
動作制御部１７は、対象範囲に属するリレー２のいずれかに接続されたすべての照明器具３、及び複数のリレー２のいずれにも接続されていない照明器具３（３＿６）と通信可能であることを確認する。具体的には、対象範囲に属するリレー２のいずれかに接続されたすべての照明器具３、及び複数のリレー２のいずれにも接続されていない照明器具３は、照明用アドレスを含む信号を中継器２０，２１を介してコントローラ１に送信する（ステップＳ２９，Ｓ３０）。動作制御部１７は、対象範囲に属するリレー２のいずれかに接続されたすべての照明器具３、及び複数のリレー２のいずれにも接続されていない照明器具３（３＿６）から第２通信部１４を介して受け取る。動作制御部１７は、受け取ったすべての照明用アドレスを、記憶部１１の予め定められた領域（アドレス記憶領域）に一時的に記憶する。
【００６３】
動作制御部１７は、変数ｉに初期値“１”を設定する。以降、上述したステップＳ９〜Ｓ１３に相当する処理が行われる。
【００６４】
動作制御部１７は、１番目のリレー２（リレー２＿１）の動作状態をオフ状態に、他のリレー２の動作状態をオン状態にし、通信ができない１つ以上の照明器具３を特定する（ステップＳ３１）。動作制御部１７は、第２通信部１４を介して通信できない１つ以上の照明器具３に対して、通信状態の確認処理を行う。具体的には、動作制御部１７は、通信できない１つ以上の照明器具３に、信号を送信する指示を表す指示信号を、中継器２０，２１を介して送信する（ステップＳ３２，Ｓ３３）。一時的な通信エラーで通信できなかった照明器具３は、指示信号を受けると、応答信号を中継器２０，２１を介してコントローラ１に送信する（ステップＳ３４，Ｓ３５）。動作制御部１７は、一時的な通信エラーで通信できなかった照明器具３からの応答信号を受信する。動作制御部１７は、１番目のリレー２の動作状態をオフ状態としたことで通信できない照明器具３から応答信号を受け取ることはない。
【００６５】
紐付処理部１８は、アドレス記憶領域で記憶されている照明用アドレスから、ステップＳ２６で受け取った照明用アドレスを除外して、残りの照明用アドレスを用いて、１番目のリレー２に対する紐付処理を行う（ステップＳ３６）。紐付処理部１８は、残りの照明用アドレスのうちステップＳ３１と、ステップＳ３２〜Ｓ３５との双方において通信ができない照明器具３の照明用アドレスを、１番目のリレー２のリレー用アドレスに対応付ける。１番目のリレー２のリレー用アドレスに対応付けられた１つ以上の照明器具３の照明用アドレスは、２番目以降のリレー２に対する紐付処理における紐付対象（対応付けの対象）から除外される。上述したように、１番目のリレー２のリレー用アドレスに対応付けられた１つ以上の照明器具３の照明用アドレスは、アドレス記憶領域から削除される。
【００６６】
２番目から（ｎ−１）番目までのリレー２に対して、ステップＳ３１〜Ｓ３６と同様の処理が行われる。このとき、アドレス記憶領域には、ステップＳ３０で取得した複数の照明用アドレスのうち１〜（ｎ−１）番目のリレー２に対応付けられた照明用アドレスを除く残りの照明用アドレスが記憶されている。
【００６７】
紐付処理部１８は、ｎ番目のリレー２（リレー２＿ｎ）の動作状態をオフ状態に、他のリレー２の動作状態をオン状態にし、通信ができない１つ以上の照明器具３を特定する（ステップＳ３７）。動作制御部１７は、第２通信部１４を介して通信できない１つ以上の照明器具３に対して、通信状態の確認処理を行う。具体的には、動作制御部１７は、通信できない１つ以上の照明器具３に、信号を送信する指示を表す指示信号を、中継器２０，２１を介して送信する（ステップＳ３８，Ｓ３９）。一時的な通信エラーで通信できなかった照明器具３は、指示信号を受けると、応答信号を中継器２０，２１を介してコントローラ１に送信する（ステップＳ４０，Ｓ４１）。動作制御部１７は、一時的な通信エラーで通信できなかった照明器具３からの応答信号を受信する。動作制御部１７は、ｎ番目のリレー２の動作状態をオフ状態としたことで通信できない照明器具３から応答信号を受け取ることはない。
【００６８】
紐付処理部１８は、アドレス記憶領域で記憶されている照明用アドレスから、ステップＳ２６で受け取った照明用アドレスを除外して、残りの照明用アドレスを用いて、ｎ番目のリレー２（リレー２＿ｎ）に対する紐付処理を行う（ステップＳ４２）。
【００６９】
（５）変形例
以下に、上記実施形態の変形例について列記する。なお、以下に説明する変形例は、上記実施形態と適宜組み合わせて適用可能である。
【００７０】
上記実施形態では、図４のステップＳ９では、動作制御部１７は、ｉ番目のリレー２の動作状態のみをオフ状態に変更したが、この処理に限らない。動作制御部１７は、１〜ｉ番目のリレー２の動作状態をオフ状態としてもよい。この場合、紐付処理部１８は、ステップＳ９及びＳ１０の双方で通信できない照明器具３から１〜（ｉ−１）番目のリレー２に対応付けられた照明器具３を除いた残りの照明器具３を、ｉ番目のリレー２に対応付ける。ここで、後述する“（３）まとめ”において記載する“複数のリレー２の動作状態を順次オフ状態に変化させる”とは、ｉ番目のリレー２の動作状態のみをオフ状態にする場合と、１〜ｉ番目のリレー２の動作状態をオフ状態にする場合とを両方の概念を含んでいる。
【００７１】
上記実施形態では、コントローラ１と照明器具３の通信は、中継器２０または中継器２１を介して行うとした。しかしながら、この構成に限定されない。コントローラ１は、照明器具３と中継器２０，２１を介することなく直接通信を行ってもよい。
【００７２】
コントローラ１は、通信線４とは異なる通信線５を介して照明器具３に対する調光等の制御を行っている。しかしながら、この構成に限定されない。コントローラ１は、通信線４を介して照明器具３に対する調光等の制御を行ってもよい。この場合、コントローラ１は、電力制御に係る信号に、調光等の制御に係る信号を重畳させて、通信線４に出力する。
【００７３】
上記実施形態において、選択部１５は、リレー２に割り当て可能なアドレスの範囲から、関連付け対象となる複数のリレー２に割り当てられたアドレス（リレー用アドレス）の範囲を選択する機能（リレー選択部としての機能）を有している。選択部１５が有する機能は、これに限定されない。選択部１５は、複数の照明器具３のうち紐付処理部１８で複数のリレー２のいずれかに対応付ける１つ以上の照明器具３のアドレスの範囲を選択する機能（照明器具選択部としての機能）を有してもよい。つまり、選択部１５は、リレー選択部としての機能及び照明器具選択部としての機能のうち少なくとも一方を有していればよい。選択部１５が照明器具選択部としての機能する場合、紐付処理部１８は、選択部１５で選択されたアドレスの範囲に属する１つ以上の照明器具３を、複数のリレー２のうち接続されたリレー２に対応付ける。
【００７４】
上記実施形態において、紐付処理部１８は、複数のリレー２と複数の照明器具３との対応付けに、リレー用アドレスと照明用アドレスとを用いた。しかしながら、この構成に限定されない。複数のリレー２と複数の照明器具３との対応付けには、複数のリレー２を識別する情報と、複数の照明器具３を識別する情報とを用いればよい。
【００７５】
（２）実施形態２
本実施形態のコントローラ１（照明制御システム１０）は、対象範囲内のすべてのリレー２の動作状態をオフ状態とした後、ｉ番目のリレー２の動作状態をオン状態に変化させて、ｉ番目のリレー２に接続された１つ以上の照明器具３を検出する。本実施形態のコントローラ１（照明制御システム１０）について、実施形態１と異なる点を中心に説明する。以下、実施形態１と同様の構成要素には同一の符号を付して説明を適宜省略する。
【００７６】
本実施形態のコントローラ１（照明制御システム１０）の動作について、図６を用いて説明する。
【００７７】
本実施形態においても、実施形態１と同様に、リレー２に割り当て可能なアドレスの範囲が予め設定されている。本実施形態では、リレー２＿１〜２＿ｎのリレー用アドレスは、予め設定されているアドレスの範囲内で最小のアドレスから順次割り当てられ、アドレスの範囲のうち一部は使用されていない。また、コントローラ１の記憶部１１には、複数のリレー２（リレー２＿１〜２＿ｎ）に割り当てられたリレー用アドレス、及び複数の照明器具３（照明器具３＿１〜３＿ｍ）に割り当てられた照明用アドレスを予め記憶している。
【００７８】
本実施形態のコントローラ１は、記憶部１１に記憶されている複数のリレー用アドレスに、複数の照明用アドレスを対応付けることで、複数のリレー２に複数の照明器具を対応付ける処理を行う。以下におけるｉ番目のリレー２とは、リレー２＿ｉである。なお、ｉは１以上ｎ以下の整数である。
【００７９】
対応付けの対象となるリレー２のリレー用アドレスの範囲（対象範囲）を設定器６の操作者が設定器６に対して入力すると、設定器６は、入力されたリレー用アドレスの範囲をコントローラ１に無線で送信する。
【００８０】
図６のステップＳ５１〜Ｓ５５は、図４に示すステップＳ１〜５の処理と同一であるため、ここでの説明は省略する。
【００８１】
ステップＳ５５で選択部１５が対象範囲を選択した後、動作制御部１７は、対象範囲内のすべてのリレー２（ここでは、リレー２＿１〜２＿ｎ）の動作状態を、オフ状態にする（ステップＳ５６）。つまり、動作制御部１７は、第１通信部１３及び通信線４を介して、対象範囲内に属するすべてのリレー２の動作状態をオフ状態にする信号を送信する。
【００８２】
動作制御部１７は、複数の照明器具３との通信を確認する（ステップＳ５７）。具体的には、動作制御部１７は、複数のリレー２のいずれにも接続されていない照明器具３から第２通信部１４を介して受け取る。動作制御部１７は、受け取ったすべての照明用アドレスと、ステップＳ５４で取得した照明用アドレスとが、一致することを、確認する。
【００８３】
動作制御部１７は、変数ｉに値１を設定する（ステップＳ５８）。動作制御部１７は、ｉ番目のリレー２（リレー２＿ｉ）の動作状態をオン状態にし、通信可能な１つ以上の照明器具３を特定する（ステップＳ５９）。なお、対象範囲内の他のリレー２の動作状態はオフ状態である。つまり、動作制御部１７は、第１通信部１３及び通信線４を介して、ｉ番目のリレー２の動作状態をオン状態にし、他のリレー２の動作状態をオフ状態にする信号を送信する。動作制御部１７は、複数の照明器具３に対して順次、返信を要求する要求信号を送信する。動作制御部１７は、要求信号に対する応答信号の受信の有無を判断する。応答信号を受信した場合には、動作制御部１７は、要求信号の送信先である照明器具３とは通信可能と判断する。応答信号を受信しない場合には、動作制御部１７は、要求信号の送信先である照明器具３とは通信不可と判断する。これにより、動作制御部１７は、ｉ番目のリレー２（リレー２＿ｉ）の動作状態をオン状態にしたことにより、通信可能となる１つ以上の照明器具３を特定することができる。
【００８４】
動作制御部１７は、第２通信部１４を介して通信できない１つ以上の照明器具３に対して、通信状態の確認処理を行う（ステップＳ６０）。具体的には、動作制御部１７は、第２通信部１４を介して通信できない１つ以上の照明器具３に、信号を送信する指示を表す指示信号を、第２通信部１４を介して送信する。動作制御部１７は、指示信号に対する返信として応答信号を、第２通信部１４を介して受け取ったか否かによって、通信状態の確認処理を行う。これにより、ｉ番目以外のリレー２の動作状態がオフ状態であるため通信できないのか、ｉ番目のリレー２がオン状態であるにも拘らず一時的な通信エラーであるかの切り分けを行うことができる。
【００８５】
紐付処理部１８は、アドレス記憶領域で記憶されている照明用アドレスを用いて、紐付処理を行う（ステップＳ６１）。紐付処理部１８は、ステップＳ５９で通信可能と特定された照明器具３の照明用アドレスのうちアドレス記憶領域で記憶されている複数の照明用アドレスのいずれかと一致する照明用アドレスを、ｉ番目のリレー２のリレー用アドレスに対応付ける。紐付処理部１８は、ステップＳ６０で受信した応答信号を送信した照明器具の照明用アドレスを、ｉ番目のリレー２のリレー用アドレスに対応付ける。これにより、ｉ番目のリレー２＿ｉに、リレー２＿ｉに接続された照明器具３を対応付けることができる。
【００８６】
さらに、紐付処理部１８は、ステップＳ６０では、ｉ番目のリレー２のリレー用アドレスに対応付けられた照明用アドレスを、ｉ番目以降のリレー２に対する対応付けで対応付けの対象として除外するために、アドレス記憶領域から削除する。これにより、照明用アドレスの総数が少なくなるので、ｉ＋１番目以降のリレー２についてステップＳ５９の確認処理にかかる処理時間を短くすることができる。
【００８７】
動作制御部１７は、変数ｉに値１を加算する（ステップＳ６２）。動作制御部１７は、変数ｉが、紐付対象のリレー２の数ｎを超えたか否かを判断する（ステップＳ６３）。変数ｉが数ｎを超えたと動作制御部１７が判断する場合（ステップＳ６３における「Ｙｅｓ」）、処理を終了する。変数ｉが数ｎを超えていないと動作制御部１７が判断する場合（ステップＳ６３における「Ｎｏ」）、処理は、ステップＳ５９に戻る。
【００８８】
本実施形態では、実施形態１と同様に、コントローラ１は、通信線４を介してリレー２の動作状態を制御し、通信線５を介して照明器具３の調光及び調色を制御している。コントローラ１、リレー２及び照明器具３を含む本実施形態のシステムでは、実施形態１と同様に、複数のリレー２のうち１つのリレー２に接続されたすべての照明器具３の調光が０％である場合、当該１つのリレー２の動作状態をオフ状態にする。この動作を行うためには、当該システムにおいて、複数のリレー２と複数の照明器具との対応関係が設定されている必要がある。そこで、ここでは、照明制御システム１０（コントローラ１）、リレー２、照明器具３及び中継器２０，２１を含むシステムにおいて、複数のリレー２の各々に、１つ以上の照明器具３を対応付ける動作を、図７を用いて説明する。
【００８９】
図７のステップＳ７０〜Ｓ７７は、図５に示すステップＳ２０〜Ｓ２７の処理と同一であるため、ここでの説明は省略する。
【００９０】
ステップＳ７７で選択部１５が対象範囲を選択した後、動作制御部１７は、対象範囲内のすべてのリレー２（リレー２＿１〜２＿ｎ）の動作状態を、オフ状態にする（ステップＳ７８）。
【００９１】
動作制御部１７は、対象範囲に属するリレー２のいずれかに接続されたすべての照明器具３、及び複数のリレー２のいずれにも接続されていない照明器具３と通信できないことを確認する。具体的には、動作制御部１７は、複数のリレー２のいずれにも接続されていない照明器具３から第２通信部１４を介して受け取る。動作制御部１７は、受け取ったすべての照明用アドレスと、ステップＳ７６で取得した照明用アドレスとが、一致することを、確認する。
【００９２】
動作制御部１７は、変数ｉに初期値“１”を設定する。以降、上述したステップＳ５９〜Ｓ６３に相当する処理が行われる。
【００９３】
動作制御部１７は、１番目のリレー２（リレー２＿１）の動作状態をオン状態に、他のリレー２の動作状態をオフ状態にし、通信が可能となる１つ以上の照明器具３を特定する（ステップＳ８１）。動作制御部１７は、第２通信部１４を介して通信できない１つ以上の照明器具３に対して、通信状態の確認処理を行う。具体的には、動作制御部１７は、通信できない１つ以上の照明器具３に、信号を送信する指示を表す指示信号を、中継器２０，２１を介して送信する（ステップＳ８２，Ｓ８３）。一時的な通信エラーで通信できなかった照明器具３は、指示信号を受けると、応答信号を中継器２０，２１を介してコントローラ１に送信する（ステップＳ８４，Ｓ８５）。動作制御部１７は、一時的な通信エラーで通信できなかった照明器具３からの応答信号を受信する。動作制御部１７は、一時的な通信エラーで通信できなかった照明器具３からの応答信号を受信することで、一時的な通信エラーで通信できなかった照明器具３が１番目のリレー２に接続されていると判別することができる。
【００９４】
紐付処理部１８は、１番目のリレー２（リレー２＿１）に対する紐付処理を行う（ステップＳ８６）。紐付処理部１８は、ステップＳ８１で通信可能と特定された照明器具３の照明用アドレスのうちアドレス記憶領域で記憶されている複数の照明用アドレスのいずれかと一致する照明用アドレスを、１番目のリレー２のリレー用アドレスに対応付ける。紐付処理部１８は、ステップＳ８５で受信した応答信号を送信した照明器具の照明用アドレスを、１番目のリレー２のリレー用アドレスに対応付ける。これにより、１番目のリレー２＿１に、リレー２＿１に接続された照明器具３を対応付けることができる。１番目のリレー２のリレー用アドレスに対応付けられた１つ以上の照明器具３の照明用アドレスは、２番目以降のリレー２に対する紐付処理からは紐付対象（対応付け対象）から除外される。上述したように、１番目のリレー２のリレー用アドレスに対応付けられた１つ以上の照明器具３の照明用アドレスは、アドレス記憶領域から削除される。
【００９５】
２番目から（ｎ−１）番目までのリレー２に対して、ステップＳ８１〜Ｓ８６と同様の処理が行われる。このとき、アドレス記憶領域には、ステップＳ７１で取得した複数の照明用アドレスのうち１〜（ｎ−１）番目のリレー２に対応付けられた照明用アドレスを除く残りの照明用アドレスが記憶されている。
【００９６】
紐付処理部１８は、ｎ番目のリレー２（リレー２＿ｎ）の動作状態をオン状態に、他のリレー２の動作状態をオフ状態にし、通信が可能な１つ以上の照明器具３を特定する（ステップＳ８７）。動作制御部１７は、第２通信部１４を介して通信できない１つ以上の照明器具３に対して、通信状態の確認処理を行う。具体的には、動作制御部１７は、通信できない１つ以上の照明器具３に、信号を送信する指示を表す指示信号を、中継器２０，２１を介して送信する（ステップＳ８８，Ｓ８９）。一時的な通信エラーで通信できなかった照明器具３は、指示信号を受けると、応答信号を中継器２０，２１を介してコントローラ１に送信する（ステップＳ９０，Ｓ９１）。動作制御部１７は、一時的な通信エラーで通信できなかった照明器具３からの応答信号を受信する。動作制御部１７は、一時的な通信エラーで通信できなかった照明器具３からの応答信号を受信することで、一時的な通信エラーで通信できなかった照明器具３がｎ番目のリレー２に接続されていると判別することができる。
【００９７】
紐付処理部１８は、ｎ番目のリレー２に対する紐付処理を行う（ステップＳ９２）。紐付処理部１８は、ステップＳ８５で通信可能と特定された照明器具３の照明用アドレスのうちアドレス記憶領域で記憶されている複数の照明用アドレスのいずれかと一致する照明用アドレスを、ｎ番目のリレー２のリレー用アドレスに対応付ける。紐付処理部１８は、ステップＳ８５で受信した応答信号を送信した照明器具の照明用アドレスを、ｎ番目のリレー２のリレー用アドレスに対応付ける。
【００９８】
以下に、上記実施形態の変形例について列記する。なお、以下に説明する変形例は、上記実施形態と適宜組み合わせて適用可能である。
【００９９】
上記実施形態では、図６のステップＳ５９では、動作制御部１７は、ｉ番目のリレー２の動作状態のみをオン状態に変更したが、この処理に限らない。動作制御部１７は、１〜ｉ番目のリレー２の動作状態をオン状態としてもよい。この場合、紐付処理部１８は、ステップＳ５９，Ｓ６０で得られた照明器具３の照明用アドレスから１〜（ｉ−１）番目のリレー２のリレー用アドレスに対応付けられた照明用アドレスを除く残りの照明用アドレスを、ｉ番目のリレー２のリレー用アドレスに対応付ける。ここで、後述する“（３）まとめ”において記載する“複数のリレー２の動作状態を順次オン状態に変化させる”とは、ｉ番目のリレー２の動作状態のみをオン状態にする場合と、１〜ｉ番目のリレー２の動作状態をオン状態にする場合とを両方の概念を含んでいる。
【０１００】
上記実施形態では、コントローラ１と照明器具３の通信は、中継器２０または中継器２１を介して行うとした。しかしながら、この構成に限定されない。コントローラ１は、照明器具３と中継器２０，２１を介することなく直接通信を行ってもよい。
【０１０１】
コントローラ１は、通信線４とは異なる通信線５を介して照明器具３に対する調光等の制御を行っている。しかしながら、この構成に限定されない。コントローラ１は、通信線４を介して照明器具３に対する調光等の制御を行ってもよい。この場合、コントローラ１は、電力制御に係る信号に、調光等の制御に係る信号を重畳させて、通信線４に出力する。
【０１０２】
上記実施形態において、選択部１５は、リレー選択部としての機能及び照明器具選択部としての機能のうち少なくとも一方を有していればよい。
【０１０３】
上記実施形態において、紐付処理部１８は、複数のリレー２と複数の照明器具３との対応付けには、複数のリレー２を識別する情報と、複数の照明器具３を識別する情報とを用いればよい。
【０１０４】
（３）まとめ
以上説明したように、本発明に係る第１の態様の照明制御システム１０（コントローラ１）は、通信機能を有する複数の照明器具３と、前記複数の照明器具３への電力の供給を制御する複数のリレー２と、通信を行う。照明制御システム１０は、動作制御部１７と、紐付処理部１８とを備える。動作制御部１７は、複数のリレー２の動作状態を制御する。紐付処理部１８は、複数のリレー２の動作状態の変化に応じた複数の照明器具３との通信状態の変化に基づいて、複数のリレー２の各々について、当該リレー２に、複数の照明器具３のうち当該リレー２と接続された照明器具３を対応付ける。
【０１０５】
この構成によると、照明制御システム１０は、複数のリレー２の動作状態を変化させ、その変化に応じた複数の照明器具３との通信状態の変化に基づいて、複数のリレー２と複数の照明器具３との対応付けを行っている。したがって、複数のリレー２と、複数の照明器具３との対応付けを簡易に行うことができる。
【０１０６】
本発明に係る第２の態様の照明制御システム１０では、第１の態様において、動作制御部１７は、複数のリレー２の動作状態をオン状態とした後、複数のリレー２の動作状態を順次オフ状態に変化させる。紐付処理部１８は、動作制御部１７が複数のリレー２のうち１つのリレー２の動作状態をオン状態からオフ状態に変化させた場合、当該１つのリレー２に、照明器具３を対応付ける。ここで、当該１つのリレー２に対応付けられる照明器具３は、当該１つのリレー２の動作状態をオン状態からオフ状態に変化したことにより複数の照明器具３のうち通信が成立しなくなった照明器具である。この構成によると、照明制御システム１０は、複数のリレー２を順次オン状態からオフ状態にすることで、複数のリレー２と複数の照明器具３との対応付けを行うことができる。
【０１０７】
本発明に係る第３の態様の照明制御システム１０では、第１の態様において、動作制御部１７は、複数のリレー２の動作状態をオフ状態とした後、複数のリレー２の動作状態を順次オン状態に変化させる。紐付処理部１８は、動作制御部１７が複数のリレー２のうち１つのリレー２の動作状態をオフ状態からオン状態に変化させた場合、当該１つのリレー２に、照明器具３を対応付ける。ここで、当該１つのリレー２に対応付けられる照明器具３は、当該１つのリレー２の動作状態をオフ状態からオン状態に変化したことにより複数の照明器具３のうち通信が成立した照明器具である。この構成によると、照明制御システム１０は、複数のリレー２を順次オフ状態からオン状態にすることで、複数のリレー２と複数の照明器具３との対応付けを行うことができる。
【０１０８】
本発明に係る第４の態様の照明制御システム１０では、第１〜第３のいずれかの態様において、動作制御部１７は、さらに、紐付処理部１８による対応付けに先立って、複数の照明器具３のうち通信が成立しないすべての照明器具の通信状態を確認する。この構成によると、照明制御システム１０は、照明器具３との通信が成立しない原因が、照明器具３に電力が供給されないことに起因するのか、一時的な通信エラーであるかの切り分けを行うことができる。したがって、リレー２と照明器具３との対応付けを確実に行うことができる。
【０１０９】
本発明に係る第５の態様の照明制御システム１０では、第１〜第４のいずれかの態様において、複数のリレー２には、リレー用アドレスが割り当てられている。照明制御システム１０は、複数のリレー２のうち動作制御部１７で動作状態を変化させる１つ以上のリレー２に割り当てられたリレー用アドレスを含む対象範囲を選択するリレー選択部（選択部１５）を、更に備える。動作制御部１７は、リレー用アドレスがリレー選択部で選択された対象範囲に含まれる１つ以上のリレー２の動作状態を順次変化させる。この構成によると、照明制御システム１０は、動作状態を変化させる対象を絞り込むことができる。したがって、複数のリレー２と複数の照明器具３との対応付けの処理にかかる処理時間を短くすることができる。
【０１１０】
本発明に係る第６の態様の照明制御システム１０では、第１〜第５のいずれかの態様において、複数の照明器具３には、照明用アドレスが割り当てられている。照明制御システム１０は、複数の照明器具３のうち紐付処理部１８で複数のリレー２のいずれかに対応付ける１つ以上の照明器具３に割り当てられた照明用アドレスを含む範囲を選択する照明器具選択部（選択部１５）を、更に備える。紐付処理部１８は、照明用アドレスが照明器具選択部で選択された範囲に含まれる１つ以上の照明器具３を、複数のリレー２のうち接続されたリレー２に対応付ける。この構成によると、照明制御システム１０は、リレー２との対応付けの対象となる照明器具３を絞り込むことができる。したがって、複数のリレー２と複数の照明器具３との対応付けの処理にかかる処理時間を短くすることができる。
【０１１１】
本発明に係る第７の態様の照明制御システム１０は、第１〜第６のいずれかの態様において、複数のリレー２の動作状態の変化に関わらず、通信状態が変化しない１つ以上の照明器具３を複数の照明器具３から抽出する抽出部１６を、更に備える。紐付処理部１８は、抽出部１６で抽出された１つ以上の照明器具３を、複数のリレー２についての対応付けから除外する。この構成によると、照明制御システム１０は、複数のリレー２のいずれによっても電力の供給が制御されない照明器具３、つまり複数のリレー２のいずれとも接続されていない照明器具を、対応付けの対象から除外することができる。
【０１１２】
本発明に係る第８の態様の照明制御システム１０では、第１〜第７のいずれかの態様において、紐付処理部１８は、複数のリレー２のうち１つのリレー２について対応付けを行った後の対応付けの処理においては当該１つのリレー２に対応付けられた照明器具３を除外する。この構成によると、照明制御システム１０は、対応付けがされた照明器具３を、以降の対応付けから除外することで、以降の処理時間を短くすることができる。
【０１１３】
本発明に係る第９の態様の照明制御システム１０の照明制御方法は、動作制御ステップと、紐付処理ステップとを含んでいる。照明制御システム１０は、通信機能を有する複数の照明器具３と、複数の照明器具３への電力の供給を制御する複数のリレー２と、通信を行う。動作制御ステップは、複数のリレー２の動作状態を制御する。紐付処理ステップは、複数のリレー２の動作状態の変化に応じた複数の照明器具３との通信状態の変化に基づいて、複数のリレー２の各々について、当該リレー２に、複数の照明器具３のうち当該リレー２と接続された照明器具３を対応付ける。この照明制御方法によると、複数のリレー２と、複数の照明器具３との対応付けを簡易に行うことができる。
【０１１４】
本発明に係る第１０の態様の照明制御システム１０に用いられるプログラムは、照明制御システムに用いられるコンピュータを、動作制御部１７、紐付処理部１８として機能させるプログラムである。照明制御システム１０は、通信機能を有する複数の照明器具３と、複数の照明器具３への電力の供給を制御する複数のリレー２と、通信を行う。動作制御部１７は、複数のリレー２の動作状態を制御する。紐付処理部１８は、複数のリレー２の動作状態の変化に応じた複数の照明器具３との通信状態の変化に基づいて、複数のリレー２の各々について、当該リレー２に、複数の照明器具３のうち当該リレー２と接続された照明器具３を対応付ける。このプログラムによると、複数のリレー２と、複数の照明器具３との対応付けを簡易に行うことができる。
【符号の説明】
【０１１５】
１    コントローラ
２    リレー
３    照明器具
１０    照明制御システム
１５    選択部（リレー選択部、照明器具選択部）
１６    抽出部
１７    動作制御部
１８    紐付処理部
【図１】
2018006220.tif 000003
【図２】
2018006220.tif 000004
【図３】
2018006220.tif 000005
【図４】
2018006220.tif 000006
【図５】
2018006220.tif 000007
【図６】
2018006220.tif 000008
【図７】
2018006220.tif 000009